【手続補正書】
【提出日】平成17年8月25日(2005.8.25)
【手続補正１】
【補正対象書類名】明細書
【補正対象項目名】発明の名称
【補正方法】変更
【補正の内容】
【発明の名称】ビデオ切換えシステム
【手続補正２】
【補正対象書類名】明細書
【補正対象項目名】特許請求の範囲
【補正方法】変更
【補正の内容】
【特許請求の範囲】
【請求項１】  集積回路の指定された端子で受信される第１のタイプの信号に応答して、ビデオ信号を切換える集積回路を供給する手段と、
第２のタイプの信号を前記端子に結合させ、前記集積回路によりビデオ信号の切換えを開始する手段と、を具えた、ビデオ切換えシステム。
【請求項２】  ビデオ信号の切換えを行うために集積回路を使用するビデオ切換えシステムであって、
第１のタイプの信号に応答して信号の切換えを開始するために、指定された入力端子を有する集積回路を供給する手段と、
前記集積回路により信号の切換えを開始するために、第２のタイプの信号を前記端子に結合させる手段と、を具えた、ビデオ切換えシステム。
【請求項３】  指定された集積回路端子で受信される第１のタイプの信号に応答して、ビデオ信号を切換えるように設計された集積回路を供給する手段と、
前記集積回路により信号の切換えを開始するために、第２のタイプの信号を前記端子に結合させる手段と、を具え、且つ
複数の前記第２のタイプの信号が同一の端子に結合される、ビデオ切換えシステム。
【請求項４】  集積回路を使用してビデオ信号の切換えを行うビデオ切換えシステムであって、
第１のタイプの信号を受信するために、指定された入力端子を有する集積回路を供給し、ビデオ信号の切換えを開始する手段と、
集積回路の指定された入力端子に第２のタイプの信号を結合させ、集積回路によりビデオ信号の切換えを開始する手段と、を具え、且つ
前記第２のタイプの複数の信号が同一の端子に結合される、ビデオ切換えシステム。
【請求項５】  それぞれが指定された集積回路端子のうちの１つだけで受信される、複数の第１のタイプの信号に応答して、ビデオ信号を切換えるように設計された集積回路を供給する手段と、
切換えを開始するために、第２のタイプの２つまたはそれ以上の信号を前記指定された端子のうちの１つに結合させる手段と、を具える、ビデオ切換えシステム。
【請求項６】  Ｓ２プロトコルに従う切換え信号に応答して、ビデオ信号を切換える手段と、
Ｓ２プロトコル信号をエミュレートするように、非Ｓ２プロトコル切換え信号を適合させ、前記適合させた信号が切換えを開始させる手段と、を具える、ビデオ切換えシステム。
【請求項７】  非プロトコル信号をプロトコル信号と互換性があるように適合させ、プロトコルに従う切換えを開始する装置を含む、ビデオ切換えシステム。
【請求項８】  集積回路の指定された端子で受信される第１のタイプの信号に応答して、ビデオ信号を切換える集積回路を供給する手段と、
前記第１のタイプの信号をエミュレートするように、第２のタイプの信号を適合させる手段と、
適合させた第２のタイプのビデオ信号を前記端子に結合させ、集積回路により切換えを開始する手段と、を具える、ビデオ切換えシステム。
【請求項９】  Ｓ２プロトコルに従う切換え信号に応答して、ビデオ信号を切換える手段と、
非Ｓ２プロトコル切換え信号をＳ２プロトコル信号と互換性があるように適合させ、適合させた信号が切換えを開始するようにする手段と、を具え、且つ
前記適合させた複数の信号が、ビデオ信号を切換える集積回路を供給する手段に１本の入力リード線で結合される、ビデオ切換えシステム。
【請求項１０】  指定された集積回路端子で受信される第１のタイプの信号に応答して、ビデオ信号を切換えるように設計された集積回路を供給する手段と、
前記第１のタイプの信号をエミュレートするように、第２のタイプの信号を適合させる手段と、
集積回路により切換えを開始するために、適合させた前記第２のタイプのビデオ信号を前記端子に結合させる手段と、を具え、且つ
前記適合させた複数の信号が単一の端子に結合される、ビデオ切換えシステム。
【手続補正３】
【補正対象書類名】明細書
【補正対象項目名】０００８
【補正方法】変更
【補正の内容】
【０００８】
ビデオ信号の切換えシステムにおいて、第１のタイプの信号に応答してビデオ信号を切換える集積回路を使用して、前記第１のタイプの信号をエミュレート（ｅｍｕｌａｔｅ）するように適合させた第２のタイプの信号のビデオ信号を切換える。前記第１のタイプの信号をエミュレートするように前記第２のタイプの信号を適合させる回路が開示される。その各々が通常それ自身のＩＣ入力端子に結合される適合させた複数の信号は、１本のリード線を通って集積回路の１個のＳ２プロトコル端子に結合される。
特許請求の範囲と実施例との対応関係を実施例で使われている参照符号を用いて示すと以下の通りである。
（請求項１）  集積回路の指定された端子（Ｓ２−１）で受信される第１のタイプの信号に応答して、ビデオ信号を切換える集積回路を供給する手段（Ｓ２−１）と、
第２のタイプの信号を前記端子（Ｓ２−１）に結合させ、前記集積回路によりビデオ信号の切換えを開始する手段（１８，２６，２２，２４，２８，３０，３２，３４，Ｖｄｄ）と、を具えた、ビデオ切換えシステム。
（請求項２）  ビデオ信号の切換えを行うために集積回路を使用するビデオ切換えシステムであって、
第１のタイプの信号に応答して信号の切換えを開始するために、指定された入力端子を有する集積回路を供給する手段（Ｓ２−１）と、
前記集積回路により信号の切換えを開始するために、第２のタイプの信号を前記端子（Ｓ２−１）に結合させる手段（１８，２６，２２，２４，２８，３０，３２，３４，Ｖｄｄ）と、を具えた、ビデオ切換えシステム。
（請求項３）  指定された集積回路端子（Ｓ２−１）で受信される第１のタイプの信号に応答して、ビデオ信号を切換えるように設計された集積回路を供給する手段（Ｓ２−１）と、
前記集積回路により信号の切換えを開始するために、第２のタイプの信号を前記端子（Ｓ２−１）に結合させる手段（１８，２６，２２，２４，２８，３０，３２，３４，Ｖｄｄ）と、を具え、且つ
複数の前記第２のタイプの信号が同一の端子に結合される、ビデオ切換えシステム。
（請求項４）  集積回路を使用してビデオ信号の切換えを行うビデオ切換えシステムであって、
第１のタイプの信号を受信するために、指定された入力端子を有する集積回路を供給し、ビデオ信号の切換えを開始する手段（Ｓ２−１）と、
集積回路の指定された入力端子に第２のタイプの信号を結合させ、集積回路によりビデオ信号の切換えを開始する手段（１８，２６，２２，２４，２８，３０，３２，３４，Ｖｄｄ）と、を具え、且つ
前記第２のタイプの複数の信号が同一の端子に結合される、ビデオ切換えシステム。
（請求項５）  それぞれが指定された集積回路端子（Ｓ２−１）のうちの１つだけで受信される、複数の第１のタイプの信号に応答して、ビデオ信号を切換えるように設計された集積回路を供給する手段（Ｓ２−１）と、
切換えを開始するために、第２のタイプの２つまたはそれ以上の信号を前記指定された端子のうちの１つに結合させる手段（１８，２６，２２，２４，２８，３０，３２，３４，Ｖｄｄ）と、を具える、ビデオ切換えシステム。
（請求項６）  Ｓ２プロトコルに従う切換え信号に応答して、ビデオ信号を切換える手段（Ｓ２−１）と、
Ｓ２プロトコル信号をエミュレートするように、非Ｓ２プロトコル切換え信号を適合させ、前記適合させた信号が切換えを開始させる手段（１８，２６，２２，２４，２８，３０，３２，３４，Ｖｄｄ）と、を具える、ビデオ切換えシステム。
（請求項７）  非プロトコル信号をプロトコル信号と互換性があるように適合させ、プロトコルに従う切換えを開始する装置（１８，２６，２２，２４，２８，３０，３２，３４，Ｖｄｄ）を含む、ビデオ切換えシステム。
（請求項８）  集積回路の指定された端子で受信される第１のタイプの信号に応答して、ビデオ信号を切換える集積回路を供給する手段（Ｓ２−１）と、
前記第１のタイプの信号をエミュレートするように、第２のタイプの信号を適合させる手段（１８，２６，２２，２４，２８，３０，３２，３４，Ｖｄｄ）と、
適合させた第２のタイプのビデオ信号を前記端子に結合させ、集積回路により切換えを開始する手段（１８，２６，２２，２４，２８，３０，３２，３４，Ｖｄｄ）と、を具える、ビデオ切換えシステム。
（請求項９）  Ｓ２プロトコルに従う切換え信号に応答して、ビデオ信号を切換える手段（Ｓ２−１）と、
非Ｓ２プロトコル切換え信号をＳ２プロトコル信号と互換性があるように適合させ、適合させた信号が切換えを開始するようにする手段（１８，２６，２２，２４，２８，３０，３２，３４，Ｖｄｄ）と、を具え、且つ
前記適合させた複数の信号が、ビデオ信号を切換える集積回路を供給する手段に１本の入力リード線で結合される、ビデオ切換えシステム。
（請求項１０）  指定された集積回路端子（Ｓ２−１）で受信される第１のタイプの信号に応答して、ビデオ信号を切換えるように設計された集積回路を供給する手段（Ｓ２−１）と、
前記第１のタイプの信号をエミュレートするように、第２のタイプの信号を適合させる手段（１８，２６，２２，２４，２８，３０，３２，３４，Ｖｄｄ）と、
集積回路により切換えを開始するために、適合させた前記第２のタイプのビデオ信号を前記端子に結合させる手段（１８，２６，２２，２４，２８，３０，３２，３４，Ｖｄｄ）と、を具え、且つ
前記適合させた複数の信号が単一の端子に結合される、ビデオ切換えシステム。